(57)【要約】【課題】建築用パネルに組み込まれる電気機器に対する電気配線の接続作業を室内側から容易に且つ電気配線の納まりを良くして行なうこと。【解決手段】電気機器３が設けられる矩形状のパネル本体２の少なくとも一側端部２ａに、該一側端部２ａと略直交する方向及び該パネル本体２の一側端部２ａと直交する両側の他側端部２ｂ,２ｂにそれぞれ開放された配線用空間部８を設け、配線用空間部８の一部にパネル本体２の内側に向けて凹むように収納凹所５を形成すると共に収納凹所５に上記電気機器３に電気的に接続される電気的接続部４を収納し、電源供給用の電気配線１８を上記配線用空間部８を介して電気的接続部４に接続するようにした建築用パネルである。【選択図】図１
2010207076.tif 000002
【特許請求の範囲】
【請求項１】
電気機器が組み込まれ、天井又は壁に取り付けて使用される建築用パネルであって、矩形状のパネル本体の少なくとも一側端部に、該一側端部と略直交する方向及び該一側端部と隣接する両側の他側端部にそれぞれ開放された配線用空間部を設け、該配線用空間部の一部にパネル本体の内側に向けて凹むように収納凹所を形成すると共に該収納凹所に上記電気機器に電気的に接続される電気的接続部を収納し、電気配線を上記配線用空間部を介して電気的接続部に接続してなることを特徴とする建築用パネル。
【請求項２】
上記配線用空間部を廻り縁となる長尺の端部カバーで覆うと共に、端部カバーをパネル本体に取り付ける取付手段を備え、該取付手段は、パネル本体における上記配線用空間部の一部から突設されたパネル側嵌合部と、上記配線用空間部に臨んで配置される端部カバーの内面部に設けられて端部カバーの長さ方向全長に延びた溝部と、端部カバーの長さ方向の一端部から溝部内に嵌合挿入される挿入部と該挿入部の挿入方向から上記パネル側嵌合部に対してスライド嵌合するカバー側嵌合部とが一体に形成された端部カバー取付具とを備えていることを特徴とする請求項１記載の建築用パネル。
【請求項３】
上記電気的接続部を収納凹所と配線用空間部との間で出し入れ自在とすると共に、上記電気的接続部に対する電気配線の接続が不完全な状態では電気的接続部を収納凹所内に収納不能とするための不完全接続防止手段を設けたことを特徴とする請求項１又は２記載の建築用パネル。
【請求項４】
上記配線用空間部における上記収納凹所とは別の部位に、パネル本体の内側に向けて凹むように電気配線の余剰部分を収納するための余剰配線収納部を形成したことを特徴とする請求項１〜３のいずれか一項に記載の建築用パネル。
【請求項５】
上記パネル本体が天井面又は壁面の一部から突出するようにして取り付けられることを特徴とする請求項１〜４のいずれか一項に記載の建築用パネル。
【発明の詳細な説明】
【技術分野】
【０００１】
本発明は、電気機器を備える建築用パネルに関するものである。
【背景技術】
【０００２】
従来から、住宅の壁パネルに暖房用ヒータを内蔵した暖房壁構造が知られている（例えば、特許文献１、特許文献２参照）。
【０００３】
ところが、壁パネルの施工後に壁パネルの背後側で暖房用ヒータの電気配線を行なう場合にあっては、壁裏の狭い場所での作業が困難になるという課題がある。そこで、壁パネルの表面板に配線用の開口部を設け、室内側から暖房用ヒータの電気配線を行なうようにしているが、この場合、電気配線の納まりが悪く、外観が損なわれるという課題がある。
【先行技術文献】
【特許文献】
【０００４】
【特許文献１】特開２００３−４２４６４号公報
【特許文献２】実用新案登録第３１４２４５３号公報
【発明の概要】
【発明が解決しようとする課題】
【０００５】
本発明は上記の従来の問題点に鑑みて発明したものであって、その目的とするところは、パネル本体に設けられる電気機器に対する電気配線の接続作業を室内側から容易に且つ電気配線の納まりを良くして行なうことができ、施工性及び外観性に優れた建築用パネルを提供することにある。
【課題を解決するための手段】
【０００６】
前記の課題を解決するために、本発明は、電気機器３が組み込まれ、天井又は壁に取り付けて使用される建築用パネルであって、矩形状のパネル本体２の少なくとも一側端部２ａに配線用空間部８を設ける。配線用空間部８は、該一側端部２ａと略直交する方向Ａ及び該一側端部２ａと隣接する両側の他側端部２ｂ,２ｂにそれぞれ開放されている。配線用空間部８の一部にパネル本体２の内側に向けて凹むように収納凹所５を形成すると共に収納凹所５に上記電気機器３に電気的に接続される電気的接続部４を収納する。電気配線１８を上記配線用空間部８を介して電気的接続部４に接続してなることを特徴としている。
【０００７】
このような構成とすることで、建築用パネル１の配線用空間部８を利用して、室内側から電気的接続部４に対する電気配線１８の接続作業が容易に行なえると共に、電気配線１８の納まりを良くすることができる。
【０００８】
また、上記配線用空間部８を廻り縁となる長尺の端部カバー２１で覆うと共に、端部カバー２１をパネル本体２に取り付ける取付手段７を備える。該取付手段７は、パネル本体２における上記配線用空間部８の一部から突設されたパネル側嵌合部４０と、上記配線用空間部８に臨んで配置される端部カバー２１の内面部２６ａに設けられて端部カバー２１の長さ方向Ｒ全長に延びた溝部２３と、端部カバー２１の長さ方向Ｒの一端部２１ａから溝部２３内に嵌合挿入される挿入部２４と該挿入部２４の挿入方向からパネル側嵌合部４０に対してスライド嵌合するカバー側嵌合部２５とが一体に形成された端部カバー取付具２２とを備えているのが好ましい。この場合、配線用空間部８に端部カバー２１を被せて、端部カバー取付具２２の挿入部２４を端部カバー２１の長さ方向Ｒの一端部２１ａから溝部２３内に挿入するだけで、カバー側嵌合部２５がパネル側嵌合部４０に対してスライド嵌合することができ、これにより端部カバー２１の内側に配線用空間部８を確保しながら、端部カバー２１が端部カバー取付具２２を介してパネル本体２に対して容易に取り付けることができる。また、端部カバー２１は長さ方向Ｒ全長に溝部２３が形成されているので、押出成形による形成が可能な断面形状となる。さらに壁或いは天井にネジ固定されるパネル本体２のネジ固定部５０が配線用空間部８に設けられる場合において、取付手段７を用いて端部カバー２１をネジ固定部５０と干渉しないようにパネル本体２に対して取り付け可能となるので、該ネジ固定部５０から固定ネジのネジ頭が突出している場合でも、端部カバー２１とネジ頭との干渉を防止でき、これにより端部カバー２１自体にネジ頭との干渉を避けるための非干渉スペースを加工により形成する必要もなくなる。
【０００９】
また、上記電気的接続部４を収納凹所５と配線用空間部８との間で出し入れ自在とすると共に、電気的接続部４に対する電気配線１８の接続が不完全な状態では電気的接続部４を収納凹所５内に収納不能とするための不完全接続防止手段を設けるのが好ましく、この場合、熟練工でなくても電気的接続部４を収納凹所５から引き出して電気配線１８との接続を配線用空間部８内部で容易にできると共に、電気的接続部４に対する電気配線１８の接続が不完全なときは電気的接続部４が収納凹所５内に収納不能となるため、作業途中で接続の不具合を容易に確認できる。
【００１０】
また、上記配線用空間部８における上記収納凹所５とは別の部位に、パネル本体２の内側に向けて凹むように電気配線１８の余剰部分１８ｃを収納するための余剰配線収納部２０を形成するのが好ましく、この場合、電気配線１８に余剰部分１８ｃを存在させることで、電気的接続部４に対して余裕をもって接続作業ができると共に、接続後は余剰部分１８ｃを余剰配線収納部２０に納めることで、パネル本体２の外部にはみ出すのを防止できるようになる。
【００１１】
また、上記パネル本体２が天井面又は壁面の一部から突出するようにして取り付けられるのが好ましく、この場合、パネル本体２を天井面等に取り付けた後でも、パネル本体２の配線用空間部８が室内側に開放されるので、電気的接続部４に対する配線作業を天井面等に邪魔されることなく容易に行なえるものであり、さらにパネル本体２の移設や増設にも容易に対処できるようになる。
【発明の効果】
【００１２】
本発明は、パネル本体の一側端部に設けた配線用空間部を介して室内側から電気機器の電気的接続部に対する電気配線の接続作業を容易にできると共に、電気配線の納まりを良好にできるものであり、施工性と外観性を大幅に改善できるものである。
【図面の簡単な説明】
【００１３】
【図１】本発明の一実施形態に用いる内装パネル（建築用パネル）を構成するパネル本体と電気機器の分解斜視図である。
【図２】（ａ）は同上の電気機器の電気的接続部に対する渡り配線構造を説明する斜視図、（ｂ）は同上の電気的接続部を収納凹所に収納した状態を説明する斜視図、（ｃ）は同上の電気的接続部を収納凹所から引き出した状態を説明する斜視図である。
【図３】同上の電気的接続部に対する渡り配線の接続完了後の状態を説明する正面図である。
【図４】同上の電気的接続部対する渡り配線の接続が不完全な状態の場合を説明する正面図である。
【図５】同上の複数枚の内装パネルを互いに隣接して並列配置した状態で天井面の一部に取り付けた場合の斜視図である。
【図６】（ａ）（ｂ）（ｃ）は同上の複数枚の内装パネルの取り付け手順を説明する斜視図である。
【図７】同上のパネル本体の渡り配線を説明する正面図である。
【図８】図７の変形例の説明図である。
【図９】（ａ）は同上のパネル本体の配線用空間部に端部カバーを装着した状態を示す斜視図であり、（ｂ）は端部カバーをパネル本体に装着する前の分解斜視図であり、（ｃ）は（ｂ）の要部斜視図である。
【図１０】（ａ）は同上の端部カバーの装着前の状態をパネル本体の斜め前方から見た分解斜視図であり、（ｂ）はパネル本体の斜め後方から見た分解斜視図である。
【図１１】（ａ）は同上の端部カバーの外面側の斜視図であり、（ｂ）は端部カバーの内面部に取り付けられる端部カバー取付具を説明する分解斜視図である。
【図１２】同上の配線用空間部の収納凹所から中継器を引き出してコネクタを結線した状態の正面図である。
【図１３】同上の端部カバーの長さ方向の一端部から端部カバー取付具の挿入部を挿入する状態を説明する分解斜視図である。
【図１４】（ａ）は同上の端部カバーをパネル本体に装着した状態の正面図であり、（ｂ）は端部カバーを（ａ）の矢符Ｍで示す方向から見た側面図である。
【図１５】図１４（ａ）のＮ−Ｎ線に沿う断面図である。
【発明を実施するための形態】
【００１４】
以下、本発明を添付図面に示す実施形態に基いて説明する。
【００１５】
本実施形態は、電気機器３として面状ヒータ３Ａを内蔵した建築用パネル（以下、「内装パネル１」と称する）を例示する。
【００１６】
内装パネル１は、長方形状のパネル本体２とこれに組み込まれる面状ヒータ３Ａとで構成されている。
【００１７】
パネル本体２は、図１に示すように、基材９と、基材９の表面側に設けられた凹み部１１内に嵌め込まれる断熱材１０ａ,１０ｂと、基材９の表面を覆う木製又は樹脂製の表面板１２とで構成される。上記基材９は、自己保形性を有する硬質発泡樹脂製或いは木製からなる枠体１９とその背後に裏打ちされる背面板１３とが一体、或いは、別体で構成されている。上記断熱材１０ａ,１０ｂのうち、背面側に位置する断熱材１０ａはウレタン等の補強用断熱層として機能し、表面側に位置する断熱材１０ｂは、真空断熱材からなる軽量断熱層として機能する。なお、基材９と補強用の断熱材１０ａとを別体で構成する以外に、一体に構成することも可能である。
【００１８】
上記パネル本体２の短辺２ｃ側の一側端部２ａには、図２（ａ）に示すように、背面板１３の側端部１３ａが基材９を構成する枠体１９の側端部１９ａよりも外方に突出していると共に、表面板１２の側端部１２ａは枠体１９の側端部１９ａとほぼ重なるように配置されている。
【００１９】
さらに上記パネル本体２の短辺２ｃ側の一側端部２ａには、配線用空間部８が形成される。この配線用空間部８は、該一側端部２ａと略直交する方向及び該一側端部２ａと隣接する両側の長辺側の他側端部２ｂ,２ｂにそれぞれ開放されている。図１中の矢印Ａ、Ｃ、Ｃは一側端部２ａの開放方向を示している。これにより、複数枚のパネル本体２の他側端部２ｂ,２ｂ同士を互いに隣接して並列配置した状態（図７）では、各パネル本体２の配線用空間部８が一直線上に連続するようになっている。
【００２０】
上記配線用空間部８には外部電源供給用の渡り配線１８,１８ａ,１８ｂが納められる。本例の配線用空間部８の中央部には、パネル本体２の内側に向けて凹むように収納凹所５が形成されている。この収納凹所５は、後述する中継器４Ａを出し入れ可能に収納するものであり、中継器４Ａを収納凹所５と配線用空間部８との間で引き出し自在となっている。
【００２１】
さらに上記配線用空間部８における収納凹所５とは別の部位、本例では収納凹所５を挟んでその両側に、パネル本体２の内側に向けて凹むように余剰配線収納部２０（図３）が設けられており、配線用空間部８に沿って配線される渡り配線１８（１８ａ,１８ｂ）の余剰部分１８ｃが収納可能とされている。
【００２２】
一方、パネル本体２に組み込まれる面状ヒータ３Ａは、図１に示すようにパネル本体２の断熱材１０ｂと表面板１２との間に介挿されている。面状ヒータ３Ａは例えばＰＴＣヒータからなり、風のない輻射方式で室温上昇を抑えつつ、人や布団等を直接暖めることができ、無駄な熱ロスをなくして節電が図られるものであり、しかも空気を過乾燥させず、ハウスダストを巻き上げず、安全でクリーンな輻射暖房を実現できる。本例では、２枚の面状ヒータ３Ａ,３Ａを備え、各面状ヒータ３Ａが図７に示す電気的接続部４を構成する中継器４Ａにそれぞれ電気的に接続されている。なお、面状ヒータ３Ａの数は２つに限らず、１つの大面積の面状ヒータ３Ａ（図８）、或いは３つ以上の小面積の面状ヒータであってもよい。これら面状ヒータ３Ａは室内に設けた操作器（図示せず）によって運転制御される。
【００２３】
また、上記基材９を構成する枠体１９の側端部１９ａに設けた配線溝３１（図２（ｂ）（ｃ））を介して、基材９の面状ヒータ３Ａ等を収納する凹み部１１（図１）と上記収納凹所５とが互いに連通しており、この配線溝３１に沿って面状ヒータ３Ａからの給電線１７が通線され、給電線１７の先端に設けたコネクタ１４が上記収納凹所５内に収納された中継器４Ａの後端の接続部に接続されている。この給電線１７は中継器４Ａの引き出し時に追随して引き出され、中継器４Ａの押し込み時には無理なく押し込まれるようにしてある。
【００２４】
なお、電源側に最も近い配置される一段目のパネル本体２の中継器４Ａ（図２）の片面には、電源供給用の渡り配線１８（図２（ａ））が結線される接続部が設けられ、他面には渡り配線１８ａの一方のコネクタ１５が接続される接続部が設けられる。二段目以降の中継器４Ａ（図３、図４）の両面には、上記渡り配線１８ａの他方のコネクタ１６が接続される接続部と、別の渡り配線１８ｂの一方のコネクタ１５が接続される接続部とが設けられる。最終段の中継器４Ａの片面には、上記渡り配線１８ｂの他方のコネクタ１５（図７）が接続される接続部が設けられる。なお渡り配線１８、１８ａ、１８ｂとして例えばＶＶＦ電線が用いられる。
【００２５】
さらに、上記中継器４Ａを収納する収納凹所５近傍には、図２（ｂ）（ｃ）に示すように、中継器４Ａに接続される渡り配線１８ａ（１８ｂ）のコネクタ１５（１６）の外郭形状に合わせたコネクタ嵌合凹部６が凹設されている。このコネクタ嵌合凹部６は、中継器４Ａに対してコネクタ１５（１６）を確実に接続した場合のみ該コネクタ１５（１６）がコネクタ嵌合凹部６に嵌合可能とするための不完全接続防止手段を構成する。
【００２６】
次に、上記構成の内装パネル１を図５に示すように天井面の一部の取付面３０に取り付ける場合の施工手順の一例を説明する。
【００２７】
先ず、図６（ａ）のように配線前の複数枚のパネル本体２を互いに隣接して並列配置した状態で取付面３０上に固定ビスで固定する。その後、各パネル本体２の中継器４Ａに対して室内側から配線作業を行なう。つまり図２（ｃ）に示すように配線用空間部８を介して中継器４Ａを収納凹所５から引き出した状態で、中継器４Ａの片面の接続部に渡り配線１８ａのコネクタ１５を接続する。なお中継器４Ａの他面の接続部には例えば、図２（ａ）に示す渡り配線１８、或いは、図３に示す渡り配線１８ｂのコネクタ１６のいずれか一方を接続する。その後、図２（ｂ）に示すように、中継器４Ａを収納凹所５内に押し込む。この要領で、各パネル本体２のそれぞれの中継器４Ａに対して渡り配線１８,１８ａ,１８ｂを順次接続していく（図７）。最後に、図６（ｂ）（ｃ）に示すように各パネル本体２の配線用空間部８に廻り縁となる端部カバー２１を被せて作業を完了する。
【００２８】
しかして、上記構成のパネル本体２を取付面３０に取り付け施工した後に、室内側からパネル本体２の配線用空間部８に沿わせて渡り配線１８,１８ａ,１８ｂの配線ができると共に中継器４Ａとの接続作業が容易にできるものである。従って、パネル本体２の施工工事と面状ヒータ３Ａの電気配線工事とを分離でき、それぞれの工事を取合いに関係なく行なえるものとなる。しかも面状ヒータ３Ａを内蔵する内装パネル１は軽いため、取付面３０への施工性及び安全性を確保でき、さらに薄型形状によって意匠性が向上する。そのうえ天井等に対して後付け可能となるので、内装パネル１の移設や増設にも容易に対処できる利点もある。
【００２９】
また本例の配線用空間部８は３方向Ａ、Ｃ、Ｃだけでなく正面方向Ｂ（図２（ａ））にも開放されているので、パネル本体２を取付面３０に取り付けた状態では配線用空間部８は横方向のみならず下方向にも開放された状態となるため、熟練工でなくても下からの配線作業がよりスムーズにできるようになる。しかも、中継器４Ａに対する渡り配線１８ａ（１８ｂ）の結線が不完全な場合には、図４に示すように、中継器４Ａとコネクタ１５（１６）との間に隙間Ｇが発生してコネクタ１５（１６）がコネクタ嵌合凹部６に嵌まらなくなり、結果、矢印ｄの方向に押し戻せなくなるため、作業途中で接続不良を容易に確認できる。
【００３０】
さらに、上記渡り配線１８,１８ａ,１８ｂは、余剰部分１８ｃが存在しているため、余裕をもって中継器４Ａに対して接続作業ができると共に、接続後は配線用空間部８の途中に設けた余剰配線収納部２０に収納できるので、パネル本体２の外部に余剰部分１８ｃがはみ出すこともない。さらに配線後は廻り縁となる端部カバー２１によって配線用空間部８を覆うことにより、中継器４Ａ及び渡り配線１８,１８ａ,１８ｂがそれぞれ外部に露出しなくなる。そのうえパネル本体２の表面板１２の一部に配線作業を行なうための作業用開口部を設けたりする必要もないため、内装パネル１全体の見栄えが一層良好となる。
【００３１】
なお図７に示すパネル本体２の対向する両側での渡り配線構造に限定されず、例えば図８に示すような片側渡り配線構造であってもよい。
【００３２】
次に、前記端部カバー２１の取り付け構造の一例を、図９〜図１５を参照して具体的に説明する。端部カバー２１の取り付け構造以外の部位は前記実施形態と同様であり、対応する部位には同一符号を付して詳細な説明は省略する。
【００３３】
廻り縁としての端部カバー２１は、図９、図１０に示すように、パネル本体２の配線用空間部８を覆うものであり、長尺の垂直片２６と水平片２７とが断面Ｌ形に一体形成されている。本例の端部カバー２１は、公知の押出成形機を用いて押出成形により形成される。なお、合成樹脂やアルミ等の射出成形による形成も可能である。
【００３４】
端部カバー２１は、取付手段７（図１５）を用いてパネル本体２に取り付けられる。
【００３５】
取付手段７は、パネル本体２のパネル側嵌合部４０と、端部カバー２１の溝部２３と、端部カバー取付具２２とで構成されている。以下、順に説明する。
【００３６】
パネル本体２の配線用空間部８の一部から、図１０（ａ）に示すように、パネル側嵌合部４０が突設されている。本例のパネル側嵌合部４０は、配線用空間部８における収納凹所５を挟んでその左右２箇所から突設されている。各パネル側嵌合部４０は、横方向Ｐに互いに平行に延びた上下一対の爪部４０ａ,４０ｂ（図１５）からなる。
【００３７】
端部カバー２１の垂直片２６の内面部２６ａには、図１１（ｂ）に示すように、端部カバー２１の長さ方向Ｒ全長に亘って溝部２３が形成されている。溝部２３は、前記パネル側嵌合部４０とは干渉しない位置で、横方向Ｐに互いに平行に延びた上下一対のＬ字突片２３ａ,２３ｂ（図１５）からなる。
【００３８】
上記溝部２３に端部カバー取付具２２が差込接続される。端部カバー取付具２２は、図１１（ｂ）に示すように、端部カバー２１の長さ方向Ｒの一端部２１ａから溝部２３内に嵌合挿入される挿入部２４と、この挿入部２４の挿入方向（横方向Ｐ）からパネル側嵌合部４０に対してスライド嵌合可能なカバー側嵌合部２５とが一体に形成されている。本例の挿入部２４は、溝部２３の全寸法の略１／３程度の長さを有する細長い板状に形成されており、挿入部２４の基端部には手で掴むことができる把手片２８が設けられていると共に、把手片２８の外面には配線用空間部８の開放端面を覆うための端部キャップ２９が取着可能とされる。把手片２８は配線用空間部８の内径寸法よりも小径とされ、中央に配線穴２８ａが穿孔されている。
【００３９】
挿入部２４の先端側には、配線用空間部８の左右２箇所から突設するパネル側嵌合部４０のいずれか一方に対してスライド嵌合するカバー側嵌合部２５が突設されている。本例のカバー側嵌合部２５は、挿入部２４の幅方向の両側から起立した上下一対のく字状屈曲片２５ａ,２５ｂ（図１５）からなり、パネル側嵌合部４０の爪部４０ａ,４０ｂに対して横方向Ｐと直交する前方向Ｑに向かって外れないようになっている。
【００４０】
しかして、上記パネル本体２を壁或いは天井の取付面３０に固定ネジで取り付け施工した後に配線用空間部８にて渡り配線作業を行う。ここでは、図１２に示すように、配線用空間部８中央の収納凹所５から保持部材３２を引き出し、保持部材３２にて保持された中継器４Ａに対して、渡り配線１８ａ用の両コネクタ１５,１６をそれぞれ結線して、保持部材３２を矢印Ｓ方向に押し込んで収納凹所５内に中継器４Ａを収納する（図１０（ａ）の状態）。本例の保持部材３２は先端の掴み部３２ａと中継器４Ａを保持する板状部３２ｂとを一体に備えたものであり、金属板や樹脂板等を折曲加工して構成されている。なお以下の図１３〜図１５においては渡り配線１８ａの図示を省略している。
【００４１】
上記渡り配線終了後に、配線用空間部８を端部カバー２１で覆う。つまり、端部カバー２１の垂直片２６の下端をパネル本体２の表面板１２の上部前面に沿わせ且つ水平片２７の後端をパネル本体２の基材９の上端面に沿わせた状態（図１５の状態）で、図１３に示すように、端部カバー取付具２２の挿入部２４を端部カバー２１の一端部２１ａから溝部２３内に挿入すると挿入部２４先端に設けたカバー側嵌合部２５が横方向Ｐからパネル側嵌合部４０にスライド嵌合する。同様にして、端部カバー２１の他端部２１ｂからも別の端部カバー取付具２２の挿入部２４を挿入してカバー側嵌合部２５を他方のパネル側嵌合部４０に対してスライド嵌合させる（図１１、図１４の状態）。このスライド嵌合状態では、図１５に示すように、カバー側嵌合部２５の上下の屈曲片２５ａ,２５ｂが、パネル側嵌合部４０の上下の爪部４０ａ,４０ｂから前方向Ｑに外れなくなり、端部カバー２１の内側に配線用空間部８を確保した状態で、端部カバー２１をパネル本体２に容易に取り付け可能となる。
【００４２】
しかも、端部カバー２１をパネル本体２に対してネジ等で固定する必要がないため、ネジの露出による端部カバー２１の外観低下をなくすと同時に、ネジ固定作業を省略できるので、特に天井面のパネル本体２に対する端部カバー２１の取付作業がはかどる。
【００４３】
また端部カバー２１は長さ方向Ｒ全長に溝部２３が形成された断面形状を有するので、押出成形による形成が可能となり、金型投資（金型費）を抑制できると共に、端部カバー２１のどこで切断しても断面形状が一定形状なので、パネル本体２のサイズに応じて所定長に切断して使用可能となり、１種類の端部カバー２１で異なるパネル本体２のサイズに対応できるという利点がある。
【００４４】
さらにパネル本体２のネジ固定部５０（図１０）が配線用空間部８の一部に設けられている場合において、固定ネジのネジ頭が突出していても、端部カバー取付具２２を用いて断面Ｌ字形の端部カバー２１をネジ固定部５０（図１０）と干渉しないようにパネル本体２に取り付けることができるので、パネル本体２のネジ頭と端部カバー２１との干渉を回避しながら配線用空間部８を確保できるようになり、これによりネジ頭と端部カバー２１との干渉を防止でき、結果、端部カバー２１にネジ頭との干渉を避けるための非干渉スペースを加工により形成する必要がなくなり、端部カバー２１の加工の手間を省略できる利点もある。
【００４５】
なお、本例の端部カバー２１の使用例として、１枚のパネル本体２に対する使用に限らず、前記実施形態の図７、図８で示したように、複数枚のパネル本体２を隣接配置して各パネル本体２の配線用空間部８を一直線上に連続させた渡り配線構造においては、各パネル本体２ごとに配線用空間部８を端部カバー２１にて覆うようにする。この場合において、中央側のパネル本体２への端部カバー２１の取り付けに使用される端部カバー取付具２２の把手片２８には端部キャップ２９（図１１）を取り付けないことで、把手片２８の配線穴２８ａを介して配線用空間部８相互間の渡り配線が可能となり、また最も外側に位置する端部カバー取付具２２の把手片２８に端部キャップ２９を取着することで、最も外側の配線用空間部８の開放された側端面を閉鎖できるようになる。
【００４６】
また前記各実施形態では、内装パネル１を天井面の一部に天井輻射暖房パネルとして取り付ける場合を説明したが、壁面の一部に取り付けて壁輻射暖房パネルとしての使用も可能である。さらに内装パネル１自体を天井構造材又は壁構造材として使用することも可能である。
【００４７】
また電気機器３として面状ヒータ３Ａを例示したが、これに限らず、パネル本体２の外部に露出して設けられる電気暖房器具であってもよく、さらには照明、音響の各種設備を備えるものであってもよい。
【符号の説明】
【００４８】
１  内装パネル（建築用パネル）
２  パネル本体
２ａ  一側端部
２ｂ  他側端部
３  電気機器
４  電気的接続部
５  収納凹所
７  取付手段
８  配線用空間部
１８  電気配線
２０  余剰配線収納部
２１  端部カバー
２１ａ  端部カバーの長さ方向の一端部
２２  端部カバー取付具
２３  溝部
２４  挿入部
２５  カバー側嵌合部
２６ａ  端部カバーの内面部
４０  パネル側嵌合部
Ｒ  長さ方向
【図１】
2010207076.tif 000003
【図２】
2010207076.tif 000004
【図３】
2010207076.tif 000005
【図４】
2010207076.tif 000006
【図５】
2010207076.tif 000007
【図６】
2010207076.tif 000008
【図７】
2010207076.tif 000009
【図８】
2010207076.tif 000010
【図９】
2010207076.tif 000011
【図１０】
2010207076.tif 000012
【図１１】
2010207076.tif 000013
【図１２】
2010207076.tif 000014
【図１３】
2010207076.tif 000015
【図１４】
2010207076.tif 000016
【図１５】
2010207076.tif 000017